(57)【要約】【課題】各医療機関から患者の医用データを中央の患者診療情報共通サーバに送るときに、複数枚の医用データを容易に送信することが可能な医用データ変換送信装置及び医用データ変換送信方法を提供すること。【解決手段】一例の医用データ変換送信装置は、医療機関における患者のローカル医用データの各領域を画面上に表示させる領域表示手段と、この領域表示手段により表示された前記各領域に対応する共通医用データの各領域を指定されて前記ローカル医用データの各領域と前記共通医用データの各領域の対応関係の領域対応テーブルを作成するテーブル作成手段と、このテーブル作成手段により作成された前記領域対応テーブルに基づき、前記医療機関のローカル医用データの各領域の情報を前記共通医用データの形式に変換して、前記共通医用データの情報を記憶する患者診療情報共通サーバに送信する送信手段とを有する。【選択図】図２
2014002505.tif 000002
【特許請求の範囲】
【請求項１】
医療機関における患者のローカル医用データの各領域を画面上に表示させる領域表示手段と、
この領域表示手段により表示された前記各領域に対応する共通医用データの各領域を指定されて前記ローカル医用データの各領域と前記共通医用データの各領域の対応関係の領域対応テーブルを作成するテーブル作成手段と、
このテーブル作成手段により作成された前記領域対応テーブルに基づき、前記医療機関のローカル医用データの各領域の情報を前記共通医用データの形式に変換して、前記共通医用データの情報を記憶する患者診療情報共通サーバに送信する送信手段とを有する医用データ変換送信装置。
【請求項２】
医療機関におけるローカルカルテ情報を、共通電子カルテ情報を記憶する患者診療情報共通記憶サーバに送信し記憶させる電子カルテ変換送信装置であって、
各医療機関におけるローカル電子カルテの各領域を自動的に認識するカルテ領域自動認識部と、
このカルテ領域自動認識部により認識された前記各領域に、前記患者診療情報共通サーバに記憶される共通電子カルテの共通形式の各領域に対応付ける領域対応テーブルを得るカルテ領域対応付け部と、
このカルテ領域対応付け部により得られた前記領域対応テーブルに基づき前記医療機関において作成された複数の前記ローカル電子カルテの患者診療情報を前記患者診療情報共通サーバに送信する患者診療情報送信部と、
を有する医用データ変換送信装置。
【請求項３】
前記カルテ領域対応付け部は、前記ローカル電子カルテの各領域を画面上に表示させ、表示された各領域に対して前記共通電子カルテの共通形式の各領域の対応付けを行わせて前記領域対応テーブルを得る、請求項２記載の医用データ変換送信装置。
【請求項４】
前記カルテ領域対応付け部は、前記カルテ領域認識部により認識された前記ローカル電子カルテの各領域と各領域に対して仮の番号を表示させるカルテ領域表示部と、このカルテ領域表示部の画面上に表示された各領域の仮の番号に対する名称を入力させ前記ローカル電子カルテの各領域を定義する領域定義表示入力部と、を有する請求項２又は３記載の医用データ変換送信装置。
【請求項５】
前記カルテ領域表示部と前記領域定義表示入力部は一体とされて成る請求項４記載の医用データ変換装置。
【請求項６】
前記領域定義表示入力部により定義づけられたローカル電子カルテと共通電子カルテの領域の対応関係を示す前記領域対応テーブルを検知し登録する領域関連付け検知登録部と、この領域関連付け検知登録部において登録された対応関係を記憶し、前記ローカル電子カルテの内容をこの領域関係に基づいて変換する領域関係記憶変換部とを更に有する請求項４又は５記載の医用データ変換装置。
【請求項７】
医療機関における患者のローカル医用データの各領域を画面上に表示させ、
前記各領域に対応する共通医用データの各領域を指定されて前記ローカル医用データの各領域と前記共通医用データの各領域の対応関係の領域対応テーブルを作成し、
前記領域対応テーブルに基づき、前記医療機関のローカル医用データの各領域の情報を前記共通医用データの形式に変換して、前記共通医用データの情報を記憶する患者診療情報共通サーバに送信する医用データ変換送信方法。
【発明の詳細な説明】
【技術分野】
【０００１】
本発明は、各医療機関で作成される患者の診療情報が記載されているローカル医用データを中央の共通サーバに送信するための医用データ変換送信装置及び医用データ変換送信方法に関する。
【背景技術】
【０００２】
最近では、病院などの医療機関でも情報の電子化が進み、各医療機関に患者の情報が電子化され蓄積されている。このような電子化される患者診療情報は各患者のカルテとして各医療機関に蓄積される。
【０００３】
カルテには、通常、数値で表される検査データ、レントゲン写真などの画像データ、心拍波形などの波形データや、医師による所見などのデータがある。これらの患者のカルテ情報を中央で集中管理できれば、各箇所から取出し易く、便利である。
【０００４】
ところで、カルテは電子化する以前に各医療機関で使いやすいように人手により作成されており、それが電子化された経緯もあって、特に小さい医療機関での電子カルテは統一されておらず、種々様々な形式で作成されている。
【０００５】
これらの電子カルテを各医療機関で統一形式のものにしようとすると、今までの形式を変えねばならず困難が伴う。したがって、各医療機関の様式の異なる電子カルテを中央の管理サーバにアップロードする過程で形式を変えればよいが、このデータ処理は医療機関毎に異なり、手作業で統一形式に合わせることは非常に煩雑である。また、たとえ同様な形式、項目であるとしても確認しておかないと、各医療機関の電子カルテの様式が中央の管理サーバの項目に合っていないことがある。この場合にも中央の管理サーバに多量の電子カルテを１件ずつ確認して送ることは非常に煩雑である。
【先行技術文献】
【特許文献】
【０００６】
【特許文献１】特開２００５−１６５４４２号公報
【発明の概要】
【発明が解決しようとする課題】
【０００７】
本発明は上述のような問題にかんがみてなされたもので、各医療機関から患者の医用データを中央の患者診療情報共通サーバに送るときに、複数枚の医用データを容易に送信することが可能な医用データ変換送信装置及び医用データ変換送信方法を提供することを目的とする。
【課題を解決するための手段】
【０００８】
本発明の一実施形態は、医療機関における患者のローカル医用データの各領域を画面上に表示させる領域表示手段と、この領域表示手段により表示された前記各領域に対応する共通医用データの各領域を指定されて前記ローカル医用データの各領域と前記共通医用データの各領域の対応関係の領域対応テーブルを作成するテーブル作成手段と、このテーブル作成手段により作成された前記領域対応テーブルに基づき、前記医療機関のローカル医用データの各領域の情報を前記共通医用データの形式に変換して、前記共通医用データの情報を記憶する患者診療情報共通サーバに送信する送信手段とを有する医用データ変換送信装置を提供する。
【図面の簡単な説明】
【０００９】
【図１】本発明の第１の実施形態に係る電子カルテ変換送信装置を含む電子カルテシステムの構成例を示す図である。
【図２】第１の実施形態におけるＡ医院患者診療情報サーバの構成例を示す図である。
【図３】第１の実施形態におけるカルテ領域表示部の画面例を示す図である。
【図４】第１の実施形態における領域定義表示入力部の画面例を示す図である。
【図５】第１の実施形態における患者診療情報共通記憶サーバの構成例を示す図である。
【図６】第１の実施形態の動作を説明するためのフローチャートを示す図である。
【図７】第２の実施形態の電子カルテ変換送信装置の構成例を示す図である。
【発明を実施するための形態】
【００１０】
以下、本発明の一実施形態について図面を用いて説明する。
【００１１】
＜第１の実施形態＞
電子カルテシステムの構成例を図１に示す。この電子カルテシステム１０は、インターネットなどのネットワーク１１に接続されたＡ医院電子カルテ変換送信装置１２ａ、Ｂ医院電子カルテ変換送信装置１２ｂ、Ｃ医院電子カルテ変換送信装置１２ｃと、患者診療情報共通記憶サーバ１３とを有する。
【００１２】
ここでは説明を簡単にするためにＡ医院、Ｂ医院、Ｃ医院にある電子カルテ変換送信装置を３つ示すが４以上であっても差し支えない。
【００１３】
ネットワーク１１に接続される各医院の電子カルテ変換送信装置、中央の患者診療情報共通サーバは万全のセキュリティを確保するために、通常、ファイアウォールなど種々の設備を設けているが、図では省略して示している。
【００１４】
Ａ医院電子カルテ変換送信装置１２ａ、Ｂ医院電子カルテ変換送信装置１２ｂ、Ｃ医院電子カルテ変換送信装置１２ｃには、各医院で生成される患者の個人情報、医院で行われた検査、診断などにより得られた当該患者に関する電子カルテの情報、例えば当該患者の検査により得られた心拍数、体温等、数値などの検査データ、ＣＴ画像や超音波撮像などの画像データ、心拍波形などの波形データ等が記憶されている。
【００１５】
一方、患者診療情報共通記憶サーバ１３は、各医院でローカル電子カルテとして記憶されていた患者の各種データを記憶するサーバであり、このサーバにおいて管理され外部から検索されるので、各医院の各種データを含むローカル電子カルテの患者診療情報は、共通形式の電子カルテ（共通電子カルテ）に変換される必要がある。
【００１６】
例えばＡ医院電子カルテ変換送信装置１２ａは、Ａ医院において作成されたローカル電子カルテを共通形式の共通形式に変換して送信する装置である。この装置の一例を図２に示す。
【００１７】
この電子カルテ変換送信装置は、ローカル電子カルテを登録する電子カルテ登録装置２
０と、この電子カルテ登録装置２０と協働して、ローカル電子カルテの領域を定義し、実際の電子カルテを送信するアップローダ２１を有する。
【００１８】
ローカル電子カルテの各領域の患者診療情報は共通形式の共通電子カルテの各領域に対応付けられ、その領域対応テーブルに基づき、複数の各ローカル電子カルテの情報が共通形式に変換されて、アップローダ２１から患者診療情報共通記憶サーバ１３に送信される。
【００１９】
電子カルテ登録装置２０は、Ａ医院にて各種検査装置、診察などにより作成された電子カルテが蓄積されているカルテ蓄積部２２と、カルテ蓄積部２２に蓄積されている電子カルテを構成する部品（領域）を自動的に認識する領域自動認識部２３と、領域自動認識部２３で認識された領域を画面上で実際のローカル電子カルテと共に表示するカルテ領域表示部２４と、このカルテ領域表示部２４において表示した各領域が適当に分けられていないときに操作者がその領域を適切に分けるカルテ領域訂正入力部２５と、を有する。
【００２０】
またアップローダ２１は、電子カルテ登録装置２０のカルテ領域表示部２４の表示画面上に表示されるローカル電子カルテの各領域を何と定義するかを表示させ操作者が入力する領域定義表示入力部２６と、操作者により定義されたローカル電子カルテ上の各領域を検知し更に、領域定義表示入力部２６の表示画面上に表示するボタンとの関係を登録する領域関連付け検知登録部２７と、領域関連付け検知登録部２７により検知された電子カルテ上の領域と定義名称とボタンの関係を記憶する領域関係記憶変換部２８と、記憶された関係を患者診療情報共通記憶サーバ１３に送信する患者診療情報送信部２９と、を有する。
【００２１】
その後、カルテ蓄積部２２に記憶されていたローカル電子カルテは領域関係記憶変換部２８に記憶されている関係に基づいて共通形式に変換され、患者診療情報送信部２９を介して患者診療情報共通記憶サーバ１３に送信される。
【００２２】
カルテ領域表示部２４の表示画面にローカル電子カルテが表示された例を図３に示す。ローカル電子カルテは図示するように、いくつかの領域に分かれている。この例では、７つの領域に分かれており、これらの領域は図２に示す領域自動認識部２３により自動的に認識され、各領域に画面上、縁が形成され、仮の番号が１番から順に付される。この自動認識は、画面キャプチャによりなされ、例えば画像が連続していると認識されるか途中で大きく異なっていると認識されるかにより領域の境界を認識する。この例では７つの領域が認識され、仮番号１〜７が各領域に付されている。領域７は、他の領域の上にオーバーラップして表示されている。
【００２３】
各領域はその範囲が認識されるだけでなく、その領域内に存在する内容の性質も自動的に認識される。例えば、領域１ではその中に文字（テキスト）のみが入っている、領域６では、多くの画像が入っていることを認識する。これはその領域の性質、種類を認識することを意味する。領域内の内容にテキストデータが入っている場合には、そのテキストの文字認識もなされる。このようにすれば、後でキーワードを用いて検索することが可能となる。
【００２４】
なお、領域の内容の性質を指定するようにすることも可能である。例えば、図４（ａ）の領域定義表示入力部２６の定義入力画面においてその領域の性質を入力可能とする欄を設け、この欄に情報の性質（種類）を入力するようにしてもよい。
【００２５】
電子カルテの各領域が領域自動認識部２３により自動的に認識されるが、例えば領域１が領域２と同じと認識されるなど、誤って認識されることもある。この場合、領域は１〜６番の仮番号が付される。このような場合には、操作者はカルテ領域訂正入力部２５から、カルテ領域表示部２４の表示画面上で、例えばマウスにより領域を分ける操作を行い、領域の修正を入力指示する。同じ領域であるにも拘らず、不適当に領域が分割されている場合には逆に、カルテ領域訂正入力部２５から同じ領域であることの修正入力を指示する。
【００２６】
領域の自動認識は、図示しないが表示画面上の認識ボタンをマウスでクリックすることにより、開始するようにしてもよい。また、特に複雑なフォームの電子カルテなどでは、最初から操作者が指示することにより各領域を認識させるようにしてもよい。
【００２７】
領域定義表示入力部２６の領域定義がなされるときの表示画面の例を図４（ａ）に示す。表示画面には、カルテ領域表示部２４で各領域につけられた仮番号が表示され、対応して、その領域の名称入力欄４１が表示される。この名称入力欄４１には、操作者が仮番号の付いた領域にその欄の名称を例えばキーボードから入力することが可能である。この画面上に他に別途、名称を列挙表示され、それらから選択することによって各領域の名称を入力できるようにしてもよい。このようにすれば、各領域の名称を制限でき、共通の名称に統一することが可能となる。
【００２８】
領域定義表示入力部２６はカルテ領域表示部２４と、密接に信号のやり取りをしており、カルテ領域表示部２４の画面上で表示される各領域の仮番号は領域定義表示入力部２６に認識されている。
【００２９】
実際には、患者診療情報共通記憶サーバ１３に送られるデータの各々は、上記各領域の名称と対応しており、この名称を手掛かりとして、共通形式（フォーム）に変換される。具体的には、ＸＭＬ形式に類似のＨL７（ヘルスケア分野におけるデータ交換標準）に基づいて変換される。
【００３０】
図４（ａ）では領域１から領域７の各々に、所見、処置、検査、主訴、診断、画像、患者個人情報の名称を付けた例を示している。患者個人情報は、患者の氏名、患者番号などである。各領域の名称について、上述の各領域の性質と合わない場合、領域関連付け検知登録部２７からこれを検知し、その旨を領域定義表示入力部２６の画面上に表示させることができる。このようにすれば、領域を間違って名称を入力されることを防止することができる。
【００３１】
なお、図４（ａ）に示す定義入力画面で、名称入力欄４１に名称を入力しないこともできる。これは対応する電子カルテの当該仮番号の領域を送る必要がないことを意味する。
【００３２】
領域定義表示入力部２６の画面の右上には登録ボタン４５が表示されており、この登録ボタン４５をマウスやペンでクリックすることにより、カルテ領域表示部２４に表示された各領域と各領域の名称の対応関係が領域対応テーブルとして、領域関連付け検知登録部２７に登録される。
【００３３】
すると、領域関連付け検知登録部２７の画面は例えば図４（ｂ）に示すような画面になる。この画面では、上部に電子カルテの各領域に対応する領域ボタン４６が表示され、右横にはアップロードボタン４７が表示される。
【００３４】
下部４８には、上記領域ボタン４６の１つがクリックされたとき、その内容が表示される。図４（ｂ）の例では、所見ボタンがマウス又はペンでクリックされて、その内容が下部４８に表示された例を示している。このようにして、上部の領域ボタン４６をクリックすることにより、下部４８に電子カルテの対応する内容が表示される。図４（ａ）の定義入力画面で名称が入力されなかった仮番号の領域のボタンは、図４（ｂ）に示す画面の上部には表示されない。
【００３５】
このようにして、電子カルテの各領域と名称の関係を定義づけ、更にその内容を確認することができる。
【００３６】
図４（ｂ）に示す領域定義表示入力部２６の画面のアップロードボタン４７をクリックすることにより、登録された領域名称テーブルは領域関連付け検知登録部２７から領域関係記憶変換部２８に送られ記憶される。記憶された領域名称テーブルは領域関係記憶変換部２８から患者診療情報送信部２９に送られて、ネットワーク１１を介して患者診療情報共通記憶サーバ１３に送信される。
【００３７】
その後、電子カルテ登録装置２０のカルテ蓄積部２２に蓄積されていた所定形式の一連の電子カルテは、領域関係記憶変換部２８に送られ、先に定義された形式に変換される。
【００３８】
患者診療情報共通記憶サーバ１３の構成例を図５に示す。患者診療情報共通記憶サーバ１３は、電子カルテの情報を受信するカルテ情報受信部５１と、この受信された共通電子カルテの情報を蓄積するカルテ情報蓄積部５２と、このカルテ情報蓄積部５２に蓄積されている患者の情報を検索し結果を得るカルテ情報検索部５３と、外部の医療機関などから患者の電子カルテに記載されている情報について問合せを受けて、カルテ情報検索部５３に検索を依頼しその結果を受け取るカルテ情報問合せ応答部５４とを有する。
【００３９】
患者診療情報共通記憶サーバ１３は、各医療機関からの共通電子カルテに変換された情報を受信し蓄積するだけでなく、外部からインターネットを介して蓄積された患者のカルテ情報の問合せを受けて、問合せに対する回答をカルテ情報問合せ応答部５４から問合せ先に送る機能も有している。ここではこのサーバにおける検索応答機能については詳しくは触れない。
【００４０】
一方、上述のように図２に示すアップローダ２１の患者診療情報送信部２９から、インターネット等のネットワーク１１を介して患者診療情報記憶サーバ１３に送られてきた患者カルテ情報は、カルテ情報受信部５１で受信された後カルテ情報蓄積部５２に蓄積される。
【００４１】
ここで、患者診療情報共通記憶サーバ１３で受け取る電子カルテの領域と、各医院の電子カルテで各領域について付けた名称との関係について説明する。
【００４２】
患者診療情報共通記憶サーバ１３に蓄積される共通電子カルテの情報は、通常ＳＯＡＰと呼ばれる項目である。即ち、Ｓｕｂｊｅｃｔ（患者の訴え、病歴）ではその期間、病名、病名コードなど）、Ｏｂｊｅｃｔ（診察所見、検査所見）では、検査、検査コード、検査名称、Ａｓｓｅｓｓｍｅｎｔ（診断）では、病名、病名コード、Ｐｌａｎ（治療方針）では、処方、薬名、用量、用法などがある。
【００４３】
カルテ（診療録）として記録しなければならないものとしては、診療を受けた者の住所、氏名、性別、年齢、病名及び主要症状、病名及び主要症状、治療方法（処方及び処置）、診療の年月日である。一方、通常、カルテで重要とされる項目には、患者の基本情報（個人情報）、主訴（患者が来院するもとになった訴え）、現病歴、既往歴、家族歴、社会歴、嗜好、アレルギー、所見、検査、入院後経過、看護記録、治療方針などがある。
【００４４】
これらのカルテの項目が領域定義表示入力部２６の図４（ａ）（ｂ）に示したような画面で入力され、患者診療情報共通記憶サーバ１３のカルテ情報蓄積部５２に蓄積される共通のカルテ項目に対応づけられる。
【００４５】
なお、例えば患者診療情報共通記憶サーバ１３に送らなければならない項目については事前に聞いており、これに基づいて電子カルテの送信する項目を決める。
【００４６】
この実施形態の電子カルテ変換送信装置の動作を図６に示すフローチャートに基づいて説明する。
【００４７】
図６において、ステップＳ６０１では電子カルテ登録装置２０を立ち上げ、ステップＳ６０２では、アップローダ２１を立ち上げる。次のステップＳ６０３では、一例となる患者のローカル電子カルテをカルテ蓄積部２２から読み出す。ステップＳ６０４では、読み出したローカル電子カルテを領域自動認識部２３において自動的に認識する。ステップＳ６０５では、領域自動認識部２３において認識された各領域は、仮番号を付されて、図３に示したようにカルテ領域表示部２４の表示画面上に表示される。
【００４８】
次のステップＳ６０６では、操作者がカルテ領域表示部２４の表示画面を見て電子カルテの各領域が適切に分けられているかを確認する。１つの領域が２つ以上に分けられていたり、２つ以上の領域が１つになっていたりする場合には、ステップＳ６０７でペン又はマウスを動かすことにより各領域を適切に分けて修正入力し、再びステップＳ６０５に移り電子カルテの各領域が表示される。このとき、先に分けられた領域の仮番号が振り直される。即ち、例えば誤って１つの領域となっていた仮番号が２の領域を２つに分けると、この各々の領域に仮番号２，３が付される。
【００４９】
各領域が適切に分けられている場合には、ステップＳ６０６からステップＳ６０８に移り、領域定義表示入力部２６の入力画面で領域仮番号に対して、領域名称を入力する。名称の入力が終わり、登録ボタン４５をクリックすると、ステップＳ６０９で領域関連付け検知登録部２７に、各領域と領域名称の対応関係が登録される。
【００５０】
ステップＳ６１０で、各領域と領域名称の対応関係のテーブル（領域対応テーブル）が領域関連付け検知登録部２７から領域関係記憶変換部２８に送られて記憶される。この領域対応テーブルは、各医療機関のローカル電子カルテと共通形式の電子カルテの領域関係を示すテーブル（表）である。
【００５１】
ステップＳ６１１では、カルテ蓄積部２２に蓄積されていた電子カルテを領域関係記憶変換部２８に送り、所定の形式に変換して、患者診療情報送信部２９に送る。ステップＳ６１２では、共通形式に変換された電子カルテが患者診療情報送信部２９からネットワーク１１を介して患者診療情報共通記憶サーバ１３に送られる。このようにしてＡ医院のローカル電子カルテと患者診療情報共通記憶サバ１３における共通カルテの項目が対応付けられた。この後、Ａ医院のローカル電子カルテが複数枚、アップローダ２１によりアップロードされ、ネットワーク１１を介して患者診療情報共通記サーバ１３に送られる。
【００５２】
上記実施形態では、Ａ医院の電子カルテ変換送信装置１２ａについて説明したが、Ｂ医院やＣ医院にも同じように適用される。
【００５３】
このようにして、各医療機関の個別形式の電子カルテが共通形式に変換されて、患者診療情報共通記憶サーバに送られることになる。
【００５４】
以上述べたように、この実施形態によれば、カルテ領域表示部と領域定義表示入力部の表示画面を見ながら各領域の名称を定義し、共通形式に合わせて、患者診療情報共通記憶サーバ１３に送ることが可能となる。
【００５５】
＜第２の実施形態＞
上記実施形態では、カルテ領域表示部及び領域定義表示入力部を用いた例について説明したが、１つの装置に個々の機能を有するプログラムをインストールして動作させ１画面の中に２つの画面を表示し領域名称を定義するようにしてもよい。その実施形態について、図７を用いて、次に説明する。
【００５６】
この電子カルテ変換送信装置は、電子カルテ登録装置７０とアップローダ７１から成る。
【００５７】
電子カルテ登録装置７０は、Ａ医院にて各種検査装置、診察などにより作成された電子カルテが蓄積されているカルテ蓄積部７２と、カルテ蓄積部７２に蓄積されている電子カルテを構成する部品（領域）を自動的に認識する領域自動認識部７３と、領域自動認識部７３で認識された領域を画面上で実際の電子カルテと共に表示する領域表示定義入力部７４と、この領域表示定義入力部７４において表示した各領域が適当に分けられていないときに操作者がその領域を適切に分けるカルテ領域訂正入力部７５と、を有する。
【００５８】
またアップローダ７１は、電子カルテ登録装置７０の表示画面上に表示される電子カルテの各領域を何と定義するかを表示させ操作者が入力する領域表示定義入力部７４と、操作者により定義された電子カルテ上の各領域を検知し更に、領域表示定義入力部７４の表示画面上に表示するボタンとの検知する領域関連付け検知登録部７７と、領域関連付け検知登録部７７により検知された電子カルテ上の領域と定義名称とボタンの関係を記憶する領域関係記憶変換部７８と、記憶された関係を患者診療情報共通記憶サーバ１３に送信する患者診療情報送信部７９と、を有する。
【００５９】
領域表示定義入力部７４は、電子カルテ領域を表示させるカルテ領域表示画面７４ａと、各領域の仮番号を表示させ、領域定義表示入力を可能とする領域定義表示入力画面７４ｂとを有し、電子カルテ登録装置７０に属すると共にアップローダ７１にも属する。これらの画面７４ａ，７４ｂを表示し領域名称を入力可能なように機能する２つのプログラムが内蔵されている。
【００６０】
カルテ蓄積部７２、領域自動認識部７３、カルテ領域訂正入力部７５、領域関連付け検知登録部７７、領域関係記憶変換部７８、患者診療情報送信部７９は、図２に示した、カルテ蓄積部２２、領域自動認識部２３、カルテ領域訂正入力部２５、領域関連付け検知登録部２７、領域関係記憶変換部２８、患者診療情報送信部２９と同様な機能を有し同様な動作をする。
【００６１】
この実施形態において、カルテ蓄積部７２にその医療機関の電子カルテを蓄積しその１つを領域自動認識部２３で領域を認識させる。その結果の領域を領域表示定義入力部７４のカルテ領域表示画面７４ａに表示させて、必要ならば、カルテ領域訂正入力部７５から領域の訂正を入力する。操作者はカルテ領域表示画面７４ａを見ながら領域定義表示入力画面７４ｂで各領域の名称を入力し定義する。
【００６２】
領域の定義が終わったら領域関連付け検知登録部７７で領域と領域名称の関係を登録しそのテーブルを領域関係記憶変換部７８に記憶させ、患者診療情報送信部７９からインターネット１１を介して患者診療情報共通記憶サーバ１３に送る。その後、カルテ蓄積部７２において蓄積されていた当該医療機関の電子カルテが、領域関係記憶変換部７８で共通形式に変換されて患者診療情報送信部７９から患者診療情報共通記憶サーバ１３に送られる。
【００６３】
このようにして、各医療機関の個別形式の電子カルテが共通形式に変換されて、患者診療情報共通記憶サーバ１３に送られることになる。
【００６４】
この実施形態によれば、領域表示定義入力部７４の装置において電子カルテの各領域が表示されそれらの領域に対する名称が定義されるので、領域の表示と名称の定義が円滑に行える利点がある。
【００６５】
しかし、各医療機関のカルテの項目と患者診療情報共通記憶サーバの共通形式の項目の対応が関係づけられればいいのであって、各医療機関における電子カルテの名称を新しく定義する必要は必ずしもない。例えば図３の画面で各領域に付された仮番号と、中央のサーバにおける共通形式の電子カルテの対応が関係づけられればそれでもよい。このようにすれば、医療機関の電子カルテの各領域に名称を付ける必要がなく、医療機関の電子カルテと共通形式の共通記憶サーバにおける電子カルテの領域の対応付けが容易となる利点がある。
【００６６】
ところで、上記実施形態では、電子カルテのフォームを予め定義づけ患者診療情報共通記憶サーバのフォームに関連づけて、その後一連の患者カルテを自動的にアップロードして患者診療情報共通記憶サーバに送るようにしていた。しかし、一連の患者毎あるいは、一人の患者に対して電子カルテの関連付けを行い、その度毎にアップロードするようにしてもよい。
【００６７】
なお、電子カルテの形式が複数ある時には予め、領域と各領域名称の関係を、名前を付けて記憶させておき、電子カルテのフォームに合わせてそれらのフォーマットを呼び出すようにすることも可能である。
【００６８】
上記実施形態では、ＣＴ画像や超音波撮像などの画像データ、心拍波形などの波形データも電子カルテに含まれるとして説明した。しかし、電子カルテではこれらのデータを含ませなくてもよい。心電図、脳波形などのほかＰＡＣＳ、検査など画像データ、表示データも各医療機関に患者のデータとして記憶されている場合もある。それらのデータをまとめて別途、患者診療情報共通記憶サーバ１３にアップロードしこれらの画像データ、表示データ等を電子カルテにリンク付けすることができる。このようにこれらのデータなどをリンク付けすれば、検索して電子カルテを見るときに付されているＵＲＬをクリックすることによって、同時に具体的な画像データ表示データなどを診るようにすることが可能となる。特にＣＴ画像や超音波撮像などの写真は多数枚になりその情報量が多くなることが多い。そのような場合にこれらの画像データを電子カルテに含ませないことは有効である。こうすれば、電子カルテ自体のアップロード時間を短縮できる利点もある。
【００６９】
更に、本発明は電子カルテを送信する場合だけでなく、各医療機関から医用のビューワーなどにより見ることが可能な患者診療情報である、その医療機関に決められたローカル医用データを変換送信する場合にも適用できる。この場合にも患者診療情報のローカル医用データを領域で分けてそれらの領域に仮番号を付して対応する中央の患者診療情報共通記憶サーバに記憶される共通医用データの各項目と対応付けすればよい。
【００７０】
上述の実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７１】
１０・・・・電子カルテシステム
１１・・・・ネットワーク
１２ａ・・・・Ａ医院電子カルテ変換送信装置
１２ｂ・・・・Ｂ医院電子カルテ変換送信装置
１２ｃ・・・・Ｃ医院電子カルテ変換送信装置
１３・・・・患者診療情報共通記憶サーバ
２０，７０・・・・電子カルテ登録装置
２１，７１・・・・アップローダ
２２，７２・・・・カルテ蓄積部
２３，７３・・・・領域自動認識部
２４・・・・カルテ領域表示部
２５，７５・・・・カルテ領域訂正入力部
２６・・・・・領域定義表示入力部
２７，７７・・・・領域関連付け検知登録部
２８，７８・・・・領域関係記憶変換部
２９，７９・・・・患者診療情報送信部
５１・・・・カルテ情報受信部
５２・・・・カルテ情報蓄積部
５３・・・・カルテ情報検索部
５４・・・・カルテ情報問合せ応答部
７４・・・・領域表示定義入力部
７４ａ・・・・カルテ領域表示画面
７４ｂ・・・・領域定義表示入力画面
【図１】
2014002505.tif 000003
【図２】
2014002505.tif 000004
【図３】
2014002505.tif 000005
【図４】
2014002505.tif 000006
【図５】
2014002505.tif 000007
【図６】
2014002505.tif 000008
【図７】
2014002505.tif 000009